(57)【要約】      （修正有）【課題】金属導体と金属導体が配置される部分との接触を良好にし、低い抵抗値を有する接地装置及びその施工方法を提供する。【解決手段】接地装置Ａを、長尺の金属導体２と、電解質系溶液含有部３と、前記金属導体２と電解質系溶液含有部３とを被覆する被覆部材４とにより構成したものである。【選択図】図１
2005190756.tif 000002
【特許請求の範囲】
【請求項１】
長尺の金属導体と、電解質系溶液含有部と、前記金属導体と電解質系溶液含有部とを被覆する被覆部材とにより構成されていることを特徴とする接地装置。
【請求項２】
電解質系溶液含有部を構成する電解質系溶液が、水分の蒸発を防ぐ物質を含有していることを特徴とする請求項１に記載の接地装置
【請求項３】
被覆部材に導電性処理が施されていることを特徴とする請求項１又は請求項２に記載の接地装置。
【請求項４】
長尺の金属導体を配置し、次いで、電解質系溶液を散布し、その後、前記金属導体及び電解質系溶液を有する電解質系溶液含有部に、被覆部材を被せることを特徴とする接地装置の施工方法。
【発明の詳細な説明】
【技術分野】
【０００１】
本発明は、建設設備等の工事に際し、特に一時的に使用する仮接地に用いることに適した接地装置及びその施工方法に関するものである。
【背景技術】
【０００２】
従来の接地装置は、建設設備等の工事場所の近傍に、地表面が土質の場合は、地表面から接地棒を打設して、この接地棒を仮設接地装置として用いていた。
また、コンクリート等の舗装路盤においては、特許文献1に開示されているように、ハンマードリルを用いて舗装路盤を含む大地を削孔し、この削孔に接地棒を設置して仮設接地装置として用いていた。
【特許文献１】特開２０００−１９５５８０号公報
【発明の開示】
【発明が解決しようとする課題】
【０００３】
土質からなる地表面に接地棒を打設する接地装置及び該接地装置の施工方法においては、地表面が土質であるので、打設により接地棒を設置することは容易であるが、地中には種々の埋設物も多数あり、図面等を取り寄せての地中の埋設物の確認や、図面に記載されていない埋設物を十分に注意確認しながら打設する等、細心の作業が必要であり、従って、接地装置の施工に手間と時間が掛かるという問題があった。
【０００４】
また、コンクリート等の地表面に接地棒を設置する接地装置及び該接地装置の施工方法においては、コンクリート等の削孔を形成するために、ハンマードリル等の機械を必要とし、更には、図面等を取り寄せて地中の埋設物の有無を確認する等の手間が必要であり、従って、時間と費用が掛かるという問題があった。
【０００５】
本発明の目的は、上述した従来の接地装置及びその施工方法が有する課題を解決することにある。
【課題を解決するための手段】
【０００６】
本発明は、上述した目的を達成するために、接地装置において、第１には、接地装置を、長尺の金属導体と、電解質系溶液含有部と、前記金属導体と電解質系溶液含有部とを被覆する被覆部材とにより構成したものであり、第 2には、電解質系溶液含有部を構成する電解質系溶液が、水分の蒸発を防ぐ物質を含有しているものであり、第３には、被覆部材に導電性処理が施されているものである。
【０００７】
また、本発明は、上述した目的を達成するために、長尺の金属導体を配置し、次いで、電解質系溶液を散布し、その後、前記金属導体及び電解質系溶液を有する電解質系溶液含有部に、被覆部材を被せることにより、接地装置の施工方法を構成したものである。
【発明の効果】
【０００８】
本発明は、上述した構成を有しているので、以下に記載する効果を奏することができる。
【０００９】
接地装置を、長尺の金属導体と、電解質系溶液含有部と、前記金属導体と電解質系溶液含有部とを被覆する被覆部材とにより構成したので、金属導体と金属導体が配置される部分との接触が良好であり、従って、低い抵抗値を有する接地装置が得られる。
【００１０】
電解質系溶液含有部を構成する電解質系溶液が、水分の蒸発を防ぐ物質を含有しているので、電解質系溶液含有部の水分の蒸発を少なくすることができ、従って、長時間安定した低い接地抵抗を有する接地装置が得られる。
【００１１】
被覆部材に導電性処理を施したので、金属導体と該金属導体が配置される部分との接触を拡大することができ、従って、より低い接地抵抗を有する接地装置を得ることができる。
【００１２】
長尺の金属導体を配置し、次いで、電解質系溶液を散布し、その後、前記金属導体及び電解質系溶液を有する電解質系溶液含有部に、被覆部材を被せることにより、接地装置の施工方法を構成したので、従来の大地に接地棒を打設した接地装置の施工方法に比べて、大地に埋設されている埋設物の確認等の手間を省くことができ、従って、接地装置の設置に要する時間や労力を大幅に削減することができる。
【００１３】
また、長尺の金属導体を配置し、次いで、電解質系溶液を散布し、その後、前記金属導体及び電解質系溶液を有する電解質系溶液含有部に、被覆部材を被せることにより、接地装置の施工方法を構成したので、大掛かりな接地装置の施工工事を必要とせず、施工作業が極めて容易で安価で、且つ、低い接地抵抗を有する接地装置を得ることができる。
【００１４】
更に、長尺の金属導体を配置し、次いで、電解質系溶液を散布し、その後、前記金属導体及び電解質系溶液を有する電解質系溶液含有部に、被覆部材を被せることにより、接地装置の施工方法を構成したので、接地装置を撤去する際にも、接地装置を構成する金属導体や被覆部材を、手作業で簡単に撤去することができるとともに、撤去された金属導体や被覆部材を、水洗いする等して元の状態にして再使用することができるとともに、接地装置が設置されていた場所も、水洗い等で済み、環境的にも優れている。
【実施例】
【００１５】
以下に、本発明の実施例について説明するが、本発明の趣旨を越えない限り、何ら、本実施例に限定されるものではない。
【００１６】
１は、地表部分１ａを有する大地であり、地表部分１ａは、土質や砂地等を含む地質やコンクリ−ト等により形成されており、地表部分１ａの所定の上面は、後述する接地装置の施工のために、凸凹がないように略平面状に整地してておくことが好ましい。また、特に、地表部分１ａが、コンクリート等で舗装されている場合には、その上面を、予め水等にて洗浄し清掃しておくことが好ましい。
【００１７】
２は、所定の長さを有する導電性の長尺な金属導体であり、所定の長さに、一体物として形成することも、必要に対応して、適当な連結手段により継ぎ足して、所定の長さに形成することもできる。
【００１８】
３は、所定の地表部分１ａに、水や塩化ナトリウム水溶液や塩化マグネシウム水溶液等の電解質系溶液を散布或いは含浸することにより形成された電解質系溶液含有部である。また、水や塩化ナトリウム水溶液や塩化マグネシウム水溶液等の電解質系溶液を予め含浸させた布等を、所定の地表部分１ａに配置することにより、電解質系溶液含有部３を形成することも、更には、所定の地表部分１ａに予め配置された布等に、電解質系溶液を散布することにより、電解質系溶液含有部３を形成することもできる。なお、水分の蒸発を少なくするために、水や塩化ナトリウム水溶液や塩化マグネシウム水溶液等の電解質系溶液に、アクリルポリマーやベントナイト等を添加することが好ましい。
【００１９】
４は、可撓性を有するシート状の被覆部材であり、被覆部材４は、プラスチックス製シート板、ゴム製シート、布帛、紙等のシート状基板の片面或いは両面を、カーボン粉粒や、アルミニウム、鉄及び銅等の金属粉粒等の導電性を有する粉粒で被覆することにより、シート状基板の片面或いは両面に、導電性処理を施すことが好ましい。また、シート状基板の片面或いは両面に、アルミニウム、鉄、銅、ステンレス、更には、チタン等の導電性を有する金属で成形されたシートを張り合わせることにより、シート状基板の片面或いは両面に、導電性処理が施すこともできる。更には、シート状基板の片面或いは両面に、アルミニウム、鉄、銅、ステンレス、更には、チタン等の導電性を有する金属で成形されたシートを重ね合わせることにより、シート状基板の片面或いは両面に、導電性処理が施すこともできる。なお、被覆部材４の片面或いは両面には、防水処理を施すことが好ましい。なお更に、導電性を有する金属で形成されたシートを有する被覆部材４は、所定の長さに一体物と形成することも、また、必要に応じて、適当な連結手段により継ぎ足して、所定の長さに形成することもできる。
【００２０】
次に、上述した金属導体２、電解質系溶液含有部３及び被覆部材４を使用した接地装置及び該接地装置の施工方法について説明する。なお、以下においては、大地１の地表部分１ａが、コンクリートである場合を例に説明する。
【００２１】
先ず最初に、大地１の地表部分１ａの上面の樹木や落ち葉等を掃除し、水等にてきれいに清掃し、清掃した地表部分１ａの上面に、導電性の長尺な金属導体２を配置するとともに、金属導体２の一端に、接地線５を接続する。
【００２２】
次いで、大地１の地表部分１ａの上面に配置された金属導体２に、電解質系溶液を散布することにより、大地１の地表部分１ａに、電解質系溶液含有部３を形成する。又は、電解質系溶液を散布する代わりに、大地１の地表部分１ａの上面に配置された金属導体２に、水や塩化ナトリウム水溶液や塩化マグネシウム水溶液等の電解質系溶液が含浸された布等を被せることにより、電解質系溶液含有部３を形成する。或いは、大地１の地表部分１ａの上面に配置された金属導体２に布等を被せ、その後、布等に電解質系溶液を散布し、布等に電解質系溶液を含浸させることにより、電解質系溶液含有部３を形成する。
【００２３】
次いで、電解質系溶液含有部３の全面或いは電解質系溶液含有部３の大部分に、被覆部材４を被せ、被覆部材４の上から加重をかけて、被覆部材４と電解質系溶液含有部３や金属導体２とを十分に接触させることにより、接地装置Ａの施工が終了することになる。なお、被覆部材４の片面或いは両面に導電性処理が施されている場合には、導電性処理が施されている面が、電解質系溶液含有部３や金属導体２側に位置するように、電解質系溶液含有部３の全面或いは電解質系溶液含有部３の大部分に、被覆部材４を被せる。
【００２４】
接地装置Ａの施工終了後に、接地抵抗計を使用して、接地抵抗値を確認し、その後、金属導体２の一端に接続された接地線５を介して、接地装置Ａを、図示されていない被接地機器に接続する。
【００２５】
図３には、導電性を有する金属で形成されたシートを有する被覆部材４’の別の実施例が示されている。
【００２６】
この実施例においては、被覆部材４’は、図３（ａ）に示されているような、所定の長さと幅を有するとともに、一方の面に、長さ方向に対して略垂直な溝６ａが形成されているゴム板６と、ゴム板６より、長さが短く且つ幅の狭い、チタン材からなる網材７とを用意し、ゴム板６の溝６ａが形成されていないもう一方の面に、網材７を取り付けることにより、図３（ｂ）に示されているような被覆部材４’が構成されている。なお、８は、網材７の短辺に取着された接続端子である。被覆部材４’を、このように構成することにより、部品数を減ずることができ、施工の迅速化が図られ、また、運搬等が容易になる。
【００２７】
なお、上述したように、被覆部材４には、導電性処理が施されていなくてもよいが、導電性処理が施されている被覆部材４を使用することにより、被覆部材４を介して、金属導体２と大地１の地表部分１ａとが広い面で接触されることになり、従って、より低い接地抵抗を有する接地装置Ａを得ることができる。
【００２８】
上述した大地１のコンクリートからなる地表部分１ａは、コンクリート舗装道路であってもよく、側溝、縁石等、更には、ビルディング等の建造物の地下や駐車場等であってもよい。また、大地１の地表部分１ａは、コンクリートに限定するものでなく、土質や砂利等を含むものであってもよい。
【００２９】
次に、より具体的な実施例について説明する。
【００３０】
大地１の地表部分１ａがコンクリートで、このコンクリートの上面を、水にて清掃後、地表部分１ａの上面に、長さ３００ｃｍ、幅４ｃｍ、板厚１ｍｍの銅材からなる金属導体２を配置した。次いで、電解質系溶液として塩化ナトリウム水溶液を、２，０００ｍｌ、金属導体２及び地表部分１ａに万遍なく散布し、その後、長さ約３００ｃｍ、幅約３０ｃｍ、厚さ約０．５ｍｍの導電性ポリオレフィンからなる被覆部材４を、金属導体２に覆い被せるように配置し、更に、被覆部材４に重りを載せて、接地装置Ａを構築した。
【００３１】
晴天で、気温２９℃から３３℃、湿度５５％から６４％の気候条件の下で、且つ、大地抵抗率が、２８０Ω・ｍの条件下における接地装置Ａの接地抵抗の経時変化が、図２に示されている。図２の縦軸は、接地装置Ａの接地抵抗（Ω）であり、横軸は、接地装置Ａの構築後の経過時間である。従って、経過時間０（零）の接地抵抗は、接地装置Ａの構築直後の接地抵抗を表し、接地装置Ａの構築直後の接地抵抗は、６５Ωであった。その後、時間の経過にしたがって、接地抵抗値は上昇するが、７時間後においても、９６Ωであり、１００Ω以下の接地抵抗値を確認し、特に、電気設備技術基準に規定されたＤ種接地に使用できることを確認した。
【００３２】
なお、使用の途中において、接地装置Ａに、電解質系溶液を散水し直せば、低い接地抵抗を有する接地装置Ａとして、使用時間を延長することができる。
【００３３】
従来の大地に接地棒を打設した接地装置及びその施工方法に比べて、大地に埋設されている埋設物の確認等の手間を省くことができるので、本発明においては、接地装置の設置に要する時間や労力を大幅に削減することができる。
【００３４】
上述したように、大地１の地表部分１ａの上面に、金属導体２を配置した後、電解質系溶液を散布し、次いで、被覆部材４を被せるだけで、接地装置Ａを構築するように構成したので、大掛かりな接地装置の施工工事を必要とせず、施工作業が極めて容易で安価で、且つ、低い接地抵抗を有する接地装置を得ることができる。
【００３５】
また、接地装置Ａを撤去する際にも、接地装置Ａを構成する金属導体２や被覆部材４を、手作業で簡単に、大地１の地表部分１ａから撤去することができるとともに、撤去された金属導体２や被覆部材４を、水洗いする等して元の状態にして再使用することができるとともに、接地装置が設置されていた場所も、水洗い等で済み、環境的にも優れている。
【００３６】
更に、電解質系溶液に、アクリルポリマーやベントナイト等を添加することにり、電解質系溶液含有部３の水分の蒸発を少なくすることができ、従って、長時間安定した低い接地抵抗を有する接地装置Ａが得られる。
【００３７】
更にまた、上述したように、接地装置Ａに、電解質系溶液を追加散水すれば、低い接地抵抗を有する接地装置Ａとして、使用時間を延長することができる。
【００３８】
なお更に、導電性処理が施されている被覆部材４を使用することにより、金属導体２と大地１の地表部分１ａとの接触を拡大することができ、従って、低い接地抵抗を有する接地装置Ａを得ることができる。
【００３９】
なお、大地１の地表部分１ａと金属導体２との接触をより良好に保持するために、大地１の地表部分１ａと金属導体２との間に、綿布やスポンジ材のような、吸水性や保水性の良い敷物部材を設置することもできる。
【図面の簡単な説明】
【００４０】
【図１】図１は、本発明の接地装置の斜視図である。
【図２】図２は、本発明の接地装置の一実施例の接地抵抗の経時変化を表すグラフである。
【図３】図３は、本発明の接地装置に使用される他の実施例の被覆部材であり、図３（ａ）は、被覆部材の構成部材の１つであるゴム板の正面図であり、図３（ｂ）は、被覆部材の平面図である。
【符号の説明】
【００４１】
Ａ・・・・・・・・接地装置
１・・・・・・・・大地
１ａ・・・・・・・地表部分
２・・・・・・・・金属導体
３・・・・・・・・電解質系溶液含有部
４、４’・・・・・被覆部材
【図１】
2005190756.tif 000003
【図２】
2005190756.tif 000004
【図３】
2005190756.tif 000005